(57)【特許請求の範囲】
【請求項１】
濃度０．２１重量％以上１．４重量％以下の水酸化カリウムと、
濃度１２重量％以上４９重量％以下のブチルセロソルブと、
水と
からなることを特徴とする水性塗料洗浄剤。
【請求項２】
濃度０．０７重量％以上１．１重量％以下の水酸化ナトリウムと、
濃度１２重量％以上４１重量％以下のブチルセロソルブと、
水と
からなることを特徴とする水性塗料洗浄剤。
【請求項３】
濃度０．０７重量％以上０．８８重量％以下の水酸化カリウムと水酸化ナトリウムとの混合物と、
濃度１２重量％以上４１重量％以下のブチルセロソルブと、
水と
からなることを特徴とする水性塗料洗浄剤。
【発明の詳細な説明】
【技術分野】
【０００１】
本発明は、
１．水性塗料をブース内の設備に輸送するための配管、ホース又はバルブ
２．水性塗料を扱う部品、下塗り塗装用設備又は塗装用器具
等に付着した水性塗料を除去するための水性塗料洗浄剤に関する。
【背景技術】
【０００２】
従来、上記塗装用器具等に付着した水性塗料を除去するための水性塗料洗浄剤として、水、芳香族アルコール及び芳香族エーテルを可溶化剤を用いて可溶化してなる水性塗料剥離剤が知られている（特許文献１参照）。
【先行技術文献】
【特許文献】
【０００３】
【特許文献１】特開２００４−２５０５７３号公報
【発明の概要】
【発明が解決しようとする課題】
【０００４】
しかし、特許文献１に記載されている水性塗料剥離剤では、十分な洗浄効果を得ることができないという問題があった。
【０００５】
そこで、本発明は、上記点に鑑みてなされたものであり、水性塗料洗浄剤にエチレングリコールモノブチルエーテル（ブチルセロソルブ）を特定の割合で配合することで、優れた洗浄効果を発揮することのできる水性塗料洗浄剤を提供することを目的とするものである。
【課題を解決するための手段】
【０００６】
請求項１の発明に係る水性塗料洗浄剤は、濃度０．２１重量％以上１．４重量％以下の水酸化カリウムと、濃度１２重量％以上４９重量％以下のブチルセロソルブと、水とからなることを特徴とする。
【０００７】
請求項２の発明に係る水性塗料洗浄剤は、濃度０．０７重量％以上１．１重量％以下の水酸化ナトリウムと、濃度１２重量％以上４１重量％以下のブチルセロソルブと、水とからなることを特徴とする。
【０００８】
請求項３の発明に係る水性塗料洗浄剤は、濃度０．０７重量％以上０．８８重量％以下の水酸化カリウムと水酸化ナトリウムとの混合物と、度１２重量％以上４１重量％以下のブチルセロソルブと、水とからなることを特徴とする。
【発明の効果】
【０００９】
請求項１〜３に記載の発明では、水性塗料洗浄剤にブチルセロソルブが特定の割合で配合されていることから、優れた洗浄効果を得ることができる。また、これらの発明は、水性塗料洗浄剤に水酸化カリウム、水酸化ナトリウム又はこれらの混合物が含有されるものの、水性塗料洗浄剤のアルカリ濃度は低く設定されていることから、より安全な水性塗料洗浄剤を提供することができる。
【発明を実施するための形態】
【００１０】
以下、表を用いて本発明の詳細を説明する。なお、実施例１及び２に係る水性塗料洗浄剤は、水酸化カリウム、水酸化ナトリウム及びブチルセロソルブの濃度を一定とし、ブチルセロソルブの配合比を、水酸化カリウム又は水酸化ナトリウムの「７」に対して、「０〜１０」としたものである（表１、表２参照）。
【実施例１】
【００１１】
本実施例では、次の試験方法により、本実施例に係る水性塗料洗浄剤の洗浄効果について確認した。なお、試験結果については表１に示す。
【００１２】
［水性塗料洗浄剤］
本実施例に係る水性塗料洗浄剤は、水酸化カリウム、ブチルセロソルブ及び水を配合してなるところ、水酸化カリウム及びブチルセロソルブのそれぞれの濃度並びにこれらの配合比は、表１に示すとおりである。なお、表中の水酸化カリウム及びブチルセロソルブのそれぞれの濃度を表す数値単位は重量％である。
【００１３】
［テストピース］
１ｃｍ×１ｃｍの白色のレンジフードフィルター（不織布）を塗料（アサヒペン水性バリューコート（登録商標）赤）の原液に浸した後、これを６０日以上自然乾燥させて、テストピースとした。
【００１４】
［試験方法］
本実施例に係る水性塗料洗浄剤をショットグラスに１０ｇ注ぎ、これにテストピースを浸漬させて、約１０時間放置した。その後、テストピースを浸漬させたまま、約５秒間撹拌した後、テストピースをショットグラスから取り出して、水道水にて洗浄した。
【００１５】
［判定基準］
上記試験の結果、配合比に応じて、テストピースは、ほとんど洗浄されていない赤色から、良く洗浄された薄いピンク色までが目視されたので、これらを０％から１００％（洗浄率）として、洗浄効果を判定した。
【００１６】
［試験結果］
表１に示すとおり、本実施例に係るＮｏ．１〜Ｎｏ．７の水性塗料洗浄剤を用いた場合、テストピースの洗浄率は５０％〜１００％であることから、
濃度０．５重量％（≒１．０重量％×７／１４）以上０．８８重量％（≒１．０重量％×７／８）以下の水酸化カリウムと、
濃度１２重量％（≒９８％×１／８）以上４９重量％（≒９８％×７／１４）以下のブチルセロソルブと、
水と
を配合することで、優れた洗浄効果が発揮されることが分かる。中でも、Ｎｏ．１〜Ｎｏ．５の水性塗料洗浄剤を用いた場合には、テストピースの洗浄率は９９％〜１００％であることから、
濃度０．５８重量％（≒１．０重量％×７／１２）以上０．８８重量％（≒１．０重量％×７／８）以下の水酸化カリウムと、
濃度１２重量％（≒９８％×１／８）以上４１重量％（≒９８％×５／１２）以下のブチルセロソルブと、
水と
を配合することで、より高い洗浄効果を得られることが分かる。
【００１７】
【表１】
0006373712.tif 000002
【実施例２】
【００１８】
本実施例では、実施例１と同様の試験方法及び判定基準により、本実施例に係る水性塗料洗浄剤の洗浄効果について確認した。なお、試験結果については表２に示す。
【００１９】
［水性塗料洗浄剤］
本実施例に係る水性塗料洗浄剤は、水酸化ナトリウム、ブチルセロソルブ及び水を配合してなるところ、水酸化ナトリウム及びブチルセロソルブのそれぞれの濃度並びにこれらの配合比は、表２に示すとおりである。なお、表中の水酸化ナトリウム及びブチルセロソルブのそれぞれの濃度を表す数値単位は重量％である。
【００２０】
［試験結果］
表２に示すとおり、本実施例に係るＮｏ．１〜Ｎｏ．５の水性塗料洗浄剤を用いた場合、テストピースの洗浄率は６０％〜９５％であることから、
濃度０．５８重量％（≒１．０重量％×７／１２）以上０．８８重量％（≒１．０重量％×７／８）以下の水酸化ナトリウムと、
濃度１２重量％（≒９８％×１／８）以上４１重量％（≒９８％×５／１２）以下のブチルセロソルブと、
水と
を配合することで、優れた洗浄効果が発揮されることが分かる。中でも、Ｎｏ．２〜Ｎｏ．３の水性塗料洗浄剤を用いた場合には、テストピースの洗浄率は８５％〜９５％であることから、
濃度０．７重量％（＝１．０重量％×７／１０）以上濃度０．７８重量％（≒１．０重量％×７／９）以下の水酸化ナトリウムと、
濃度２２重量％（≒９８％×２／９）以上濃度２９重量％（≒９８％×３／１０）以下のブチルセロソルブと、
水と
を配合することで、より高い洗浄効果を得られることが分かる。
【００２１】
このように、実施例１及び２に係る水性塗料洗浄剤では、Ｎｏ．３の水性塗料洗浄剤を用いた場合に、共通して、より高い洗浄効果が得られることが分かる（実施例１：テストピースの洗浄率は９９％、実施例２：テストピースの洗浄率は９５％）。そのため、これらの実施例に係る水性塗料洗浄剤については、水酸化カリウム又は水酸化ナトリウムとブチルセロソルブの配合比を「７：３」とすることが望ましいことから、以下の実施例３〜６では、水酸化カリウム及び／又は水酸化ナトリウムとブチルセロソルブの配合比を「７：３」とし、水酸化カリウム、水酸化ナトリウムの濃度を表３〜６に示すとおりにして、水性塗料洗浄剤の洗浄効果について確認した。
【００２２】
【表２】
0006373712.tif 000003
【実施例３】
【００２３】
本実施例では、実施例１と同様の試験方法及び判定基準により、本実施例に係る水性塗料洗浄剤の洗浄効果について確認した。なお、試験結果については表３に示す。
【００２４】
［水性塗料洗浄剤］
本実施例に係る水性塗料洗浄剤は、水酸化カリウム、ブチルセロソルブ及び水を配合してなるところ、水酸化カリウム及びブチルセロソルブのそれぞれの濃度並びにこれらの配合比は、表３に示すとおりである。なお、表中の水酸化カリウム及びブチルセロソルブのそれぞれの濃度を表す数値単位は重量％である。
【００２５】
［試験結果］
表３に示すとおり、本実施例に係るＮｏ．２〜Ｎｏ．８の水性塗料洗浄剤を用いた場合、テストピースの洗浄率は７０％〜９９％であることから、
濃度０．２１重量％（＝０．３重量％×７／１０）以上１．４重量％（＝２．０重量％×７／１０）以下の水酸化カリウムと、
濃度２９重量％（≒９８％×３／１０）のブチルセロソルブと、
水と
を配合することで、優れた洗浄効果が発揮されることが分かる。中でも、Ｎｏ．２〜Ｎｏ．６の水性塗料洗浄剤を用いた場合には、テストピースの洗浄率は９９％であることから、
濃度０．２１重量％（＝０．３重量％×７／１０）以上０．８８重量％（≒１．２５重量％×７／１０）以下の水酸化カリウムと、
濃度２９重量％（≒９８％×３／１０）のブチルセロソルブと、
水と
を配合することで、より高い洗浄効果を得られることが分かる。
【００２６】
【表３】
0006373712.tif 000004
【実施例４】
【００２７】
本実施例では、実施例１と同様の試験方法及び判定基準により、本実施例に係る水性塗料洗浄剤の洗浄効果について確認した。なお、試験結果については表４に示す。
【００２８】
［水性塗料洗浄剤］
本実施例に係る水性塗料洗浄剤は、水酸化ナトリウム、ブチルセロソルブ及び水を配合してなるところ、水酸化ナトリウム及びブチルセロソルブのそれぞれの濃度並びにこれらの配合比は、表４に示すとおりである。なお、表中の水酸化ナトリウム及びブチルセロソルブのそれぞれの濃度を表す数値単位は重量％である。
【００２９】
［試験結果］
表４に示すとおり、本実施例に係るＮｏ．１〜Ｎｏ．７の水性塗料洗浄剤を用いた場合、テストピースの洗浄率は６０％〜９９％であることから、
濃度０．０７重量％（＝０．１重量％×７／１０）以上１．１重量％（≒１．５重量％×７／１０）以下の水酸化ナトリウムと、
濃度２９重量％（≒９８％×３／１０）のブチルセロソルブと、
水と
を配合することで、優れた洗浄効果が発揮されることが分かる。中でも、Ｎｏ．２〜Ｎｏ．６の水性塗料洗浄剤を用いた場合には、テストピースの洗浄率は９９％であることから、
濃度０．２１重量％（＝０．３重量％×７／１０）以上０．８８重量％（≒１．２５重量％×７／１０）以下の水酸化ナトリウムと、
濃度２９重量％（≒９８％×３／１０）のブチルセロソルブと、
水と
を配合することで、より高い洗浄効果を得られることが分かる。
【００３０】
【表４】
0006373712.tif 000005
【実施例５】
【００３１】
本実施例では、実施例１と同様の試験方法及び判定基準により、本実施例に係る水性塗料洗浄剤の洗浄効果について確認した。なお、試験結果については表５に示す。
【００３２】
［水性塗料洗浄剤］
本実施例に係る水性塗料洗浄剤は、水酸化カリウム、水酸化ナトリウム、ブチルセロソルブ及び水を配合してなるところ、水酸化カリウム、水酸化ナトリウム及びブチルセロソルブのそれぞれの濃度並びにこれらの配合比は、表５に示すとおりである。なお、表中の水酸化カリウム、水酸化ナトリウム及びブチルセロソルブのそれぞれの濃度を表す数値単位は重量％である。
【００３３】
［試験結果］
表５に示すとおり、本実施例に係るＮｏ．１〜Ｎｏ．６の水性塗料洗浄剤を用いた場合には、テストピースの洗浄率は５０％〜９９％であることから、
濃度０．０１重量％（＝０．１重量％×１／１０）以上０．１３重量％（≒１．２５重量％×１／１０）以下の水酸化カリウムと、
濃度０．０６重量％（＝０．１重量％×６／１０）以上０．７５重量％（＝１．２５重量％×６／１０）以下の水酸化ナトリウムと、
濃度２９重量％（≒９８％×３／１０）のブチルセロソルブと、
水と
を配合することで、優れた洗浄効果が発揮されることが分かる。中でも、Ｎｏ．２〜Ｎｏ．５の水性塗料洗浄剤を用いた場合には、テストピースの洗浄率は９９％であることから、
濃度０．０３重量％（＝０．３重量％×１／１０）以上０．１重量％（＝１．０重量％×１／１０）以下の水酸化カリウムと、
濃度０．１８重量％（＝０．３重量％×６／１０）以上０．６重量％（＝１．０重量％×６／１０）以下の水酸化ナトリウムと、
濃度２９重量％（≒９８％×３／１０）のブチルセロソルブと、
水と
を配合することで、より高い洗浄効果を得られることが分かる。
【００３４】
【表５】
0006373712.tif 000006
【実施例６】
【００３５】
本実施例では、実施例１と同様の試験方法及び判定基準により、本実施例に係る水性塗料洗浄剤の洗浄効果について確認した。なお、試験結果については表６に示す。
【００３６】
［水性塗料洗浄剤］
本実施例に係る水性塗料洗浄剤は、水酸化カリウム、水酸化ナトリウム、ブチルセロソルブ及び水を配合してなるところ、水酸化カリウム、水酸化ナトリウム及びブチルセロソルブのそれぞれの濃度並びにこれらの配合比は、表６に示すとおりである。なお、表中の水酸化カリウム、水酸化ナトリウム及びブチルセロソルブのそれぞれの濃度を表す数値単位は重量％である。
【００３７】
［試験結果］
表６に示すとおり、本実施例に係るＮｏ．１〜Ｎｏ．６の水性塗料洗浄剤を用いた場合、テストピースの洗浄率は８５％〜９９％であることから、
濃度０．０６重量％（＝０．１重量％×６／１０）以上０．７５重量％（＝１．２５重量％×６／１０）以下の水酸化カリウムと、
濃度０．０１重量％（＝０．１重量％×１／１０）以上０．１３重量％（≒１．２５重量％×１／１０）以下の水酸化ナトリウムと、
濃度２９重量％（≒９８％×３／１０）のブチルセロソルブと、
水と
を配合することで、優れた洗浄効果が発揮されることが分かる。中でも、Ｎｏ．２〜Ｎｏ．５の水性塗料洗浄剤を用いた場合には、テストピースの洗浄率は９９％であることから、
濃度０．１８重量％（＝０．３重量％×６／１０）以上０．６重量％（＝１．０重量％×６／１０）以下の水酸化カリウムと、
濃度０．０３重量％（＝０．３重量％×１／１０）以上０．１重量％（＝１．０重量％×１／１０）以下の水酸化ナトリウムと、
濃度２９重量％（≒９８％×３／１０）のブチルセロソルブと、
水と
を配合することで、より高い洗浄効果を得られることが分かる。
【００３８】
【表６】
0006373712.tif 000007
【００３９】
［まとめ］
実施例１のブチルセロソルブ濃度及び実施例３の水酸化カリウム濃度から、
濃度０．２１重量％以上１．４重量％以下の水酸化カリウムと、
濃度１２重量％以上４９重量％以下のブチルセロソルブと、
水と
を含有してなる水性塗料洗浄剤は、優れた洗浄効果が発揮されることが分かる。さらに、
濃度０．２１重量％以上０．８８重量％以下の水酸化カリウムと、
濃度１２重量％以上４１重量％以下のブチルセロソルブと、
水と
を配合することで、より高い洗浄効果を得られることが分かる。
【００４０】
実施例２のブチルセロソルブ濃度及び実施例４の水酸化ナトリウム濃度から、
濃度０．０７重量％以上１．１重量％以下の水酸化ナトリウムと、
濃度１２重量％以上４１重量％以下のブチルセロソルブと、
水と
を含有してなる水性塗料洗浄剤は、優れた洗浄効果が発揮されることが分かる。さらに、
濃度０．２１重量％以上０．８８重量％以下の水酸化ナトリウムと、
濃度２２重量％以上２９重量％以下のブチルセロソルブと、
水と
を配合することで、より高い洗浄効果を得られることが分かる。
【００４１】
水酸化カリウム、水酸化ナトリウム、ブチルセロソルブ及び水を配合した場合について、実施例５、６は、いずれもＮｏ．１〜Ｎｏ．６において、優れた洗浄効果が発揮され、Ｎｏ．２〜Ｎｏ．５において、より高い洗浄効果を得られること、及び、実施例１、２において、アルカリ成分が水酸化カリウムであっても、水酸化ナトリウムであっても、ほぼ同様の結果が得られているので、少なくとも実施例２のブチセロソルブの濃度範囲において優れた洗浄効果が発揮され、かつ、より高い洗浄効果を得られると考えられることから、水酸化カリウムと水酸化ナトリウムとの配合比にかかわらず、
濃度０．０７重量％（＝０．１重量％×６／１０＋０．１重量％×１／１０）以上０．８８重量％（＝１．２５重量％×６／１０＋１．２５重量％×１／１０）以下の水酸化カリウムと水酸化ナトリウムとの混合物と、
濃度１２重量％以上４１重量％以下のブチルセロソルブと、
水と
を含有してなる水性塗料洗浄剤は、優れた洗浄効果が発揮されることが分かる。さらに、
濃度０．２１重量％（＝０．３重量％×６／１０＋０．３重量％×１／１０）以上０．７重量％（＝１．０重量％×６／１０＋１．０重量％×１／１０）以下の水酸化カリウムと水酸化ナトリウムとの混合物と、
濃度２２重量％以上２９重量％以下のブチルセロソルブと、
水と
を配合することで、より高い洗浄効果を得られることが分かる。
【００４２】
このように、本発明では、水性塗料洗浄剤にブチルセロソルブが特定の割合で配合されていることから、優れた洗浄効果を得ることができる。また、これらの発明は、水性塗料洗浄剤に水酸化カリウム、水酸化ナトリウム又はこれらの混合物が含有されるものの、水性塗料洗浄剤のアルカリ濃度は低く設定されていることから、より安全な水性塗料洗浄剤を提供することができる。